(57)【要約】【課題】      ショルダーベルトで背負った釣竿ケースが傾いてバランスが悪く、安定して背負うことが出来ないことである。【解決手段】  ケース本体２の正面３と対向する背面６は、平面状に形成されており、その上下幅及び左右幅の中央に握持部９が設けられ、ケース本体２の背面６には、釣竿ケース１を背負って運搬するためのショルダーベルト１０がケース本体２の長手方向に沿って延びるように設けられている。このショルダーベルト１０は、ショルダーベルト１０を設けた背面６の左右幅の中心線Ｃから側面５側にずれており、背面６の左右幅の中心線Ｃに沿って設けられている。【選択図】        図１
2006204146.tif 000002
【特許請求の範囲】
【請求項１】
外側面にショルダーベルトを有する釣竿ケースにおいて、前記ショルダーベルトは、該ショルダーベルトを設けた前記外側面の幅方向の中心線からずれた位置に前記中心線に沿って設けたことを特徴とする釣竿ケース。
【請求項２】
ショルダーベルトを設けた外側面は平面状に形成されていることを特徴とする請求項１記載の釣竿ケース。
【請求項３】
ケース本体は釣竿を収納するための開口部を有しており、ショルダーベルトを設けた外側面は前記開口部の反対側に位置していることを特徴とする請求項１または２記載の釣竿ケース。
【発明の詳細な説明】
【技術分野】
【０００１】
本発明は、釣竿を収納して持ち運ぶための釣竿ケースに関する。
【背景技術】
【０００２】
釣竿ケースは一般に複数の釣竿を収納して持ち運ぶときに使用され、その多くは他の釣り具を手で持ち運んだり、また、両手が開いた状態にして釣り場まで安全に行き着けるようにするためにショルダーベルトを有している。
また、以下の特許文献１の公報、特許文献２の公報にはケース本体の幅方の向中心から左右にオフセットされた位置にショルダーベルトの一端側を取り付けた釣竿ケースが紹介されている。
【０００３】
ところが、この特許文献１の公報、特許文献２の公報の釣竿ケースは、ショルダーベルトがケース本体の幅方向の中心に対し斜めになるようにオフセットされているため、ショルダーベルトで背負った釣竿ケースは、傾いた状態で背負うこととなり、バランスが悪く、安定して背負うことが出来なかった。
【特許文献１】実開昭５０−１０６３９５号公報
【特許文献２】特開２００２−２１８８８９号公報
【発明の開示】
【発明が解決しようとする課題】
【０００４】
解決しようとする課題は、ショルダーベルトがケース本体の幅方向の中心に対し斜めになるようにオフセットされていると、ショルダーベルトで背負った釣竿ケースが傾いてバランスが悪く、安定して背負うことが出来ないことである。
【０００５】
本発明の目的は前記欠点に鑑み、傾きにくく安定して背負うことが出来る釣竿ケースを提供することである。
【課題を解決するための手段】
【０００６】
上記課題を解決するために、
請求項１に係わる本発明は、外側面にショルダーベルトを有する釣竿ケースにおいて、前記ショルダーベルトは、該ショルダーベルトを設けた前記外側面の幅方向の中心線からずれた位置に前記中心線に沿って設けた要旨とするものである。
請求項２に係わる本発明は、ショルダーベルトを設けた外側面は平面状に形成されていることを要旨とするものである。
請求項３に係わる本発明は、ケース本体は釣竿を収納するための開口部を有しており、ショルダーベルトを設けた外側面は前記開口部の反対側に位置していることを要旨とするものである。
【発明の効果】
【０００７】
本発明により、傾きにくく、安定して背負うことが出来る釣竿ケースを提供できる。
【発明を実施するための最良の形態】
【０００８】
以下、本発明の実施形態を図面に基づき説明すると、図１から図４は本発明の実施例で、図１は釣竿ケースの斜視図、図２は釣竿ケースの断面図、図３は釣竿ケースの使用状態の図、図４はショルダーベルトの取り付け部を変えた釣竿ケースの斜視図である。
【０００９】
図１から図３によると、釣竿ケース１は、内部に釣竿を収納する収納部２ｂ、２ｃを有するケース本体２を有しており、このケース本体２は上下方向に長く形成されている。
ケース本体２は合成樹脂のシート、合成樹脂の発泡材、合成樹脂の織布等の可撓性を有する部材で形成されており、ケース本体２は、正面３、右側面４、左側面５、背面６などの外側面を有し、さらに、正面３が上下方向に延長され、湾曲状の上面７、底面８を有している。
【００１０】
ケース本体２の正面３には、上面７、底面８に達する開口部１１ａ、１１ｂがケース本体２の長手方向に延びて設けられており、内部は仕切２ａで収納部２ｂと収納部２ｃに分かれており、開口部１１ａは収納部２ｂに、開口部１１ｂは収納部２ｃにそれぞれ通じており、それぞれ収納部２ｂ、収納部２ｃに収納した釣竿の出し入れが出来るようになっている。
この開口部１１ａ、１１ｂにはファスナ（スライドファスナ）１２が設けられており、開口部１１ａ、１１ｂは、このファスナ１２によって開閉自在に閉じられている。
また、正面３、右側面４、左側面５、背面６は平面状に形成され、上下方向に略同じ幅に形成され、互いの境界は異なる方向の面が交わり面の方向が変移する角部が形成されている。
【００１１】
ケース本体２の正面３と対向する背面６は、平面状に形成されており、その上下幅及び左右幅の中央に握持部９がその上端側と下端側がそれぞれ上下位置の止着部９ａ、９ｂにて上下方向に延びるように取り付けられ、釣竿ケース１の携帯時にはこの握持部９を握って釣竿ケース１を持ち上げて運搬することができる。
また、釣竿ケース１の重心Ｇはケース本体２の長さ方向の略中央に位置し、握持部９は背面６の左右幅の中心線Ｃ上に中心線Ｃに沿って設けられ、しかも、重心Ｇに対応する位置に設けられているため、握持部９を握持するとケース本体２を略水平にして持ち上げることができる。
【００１２】
さらに、ケース本体２の背面６には、釣竿ケース１を背負って運搬するためのショルダーベルト１０が釣竿ケース１の長手方向の略中間に位置するようにケース本体２の長手（上下）方向に沿って延びるようにその上端側と下端側がそれぞれ上下位置の止着部１０ａ、１０ｂにて縫着で取り付けられて設けられている。
このショルダーベルト１０は、ショルダーベルト１０を設けた背面６の左右幅の中心線Ｃから背面６を正面にして左右幅方向に右側（側面５側）にずれており、しかも、背面６の左右幅の中心線Ｃに沿って（平行に）設けられている。
【００１３】
このように、ケース本体２の背面６に設けた握持部９とショルダーベルト１０は背面６の左右幅の中心線Ｃに平行に設けられるが、握持部９は背面６の左右幅の中心線Ｃ上に設けられているのに対し、ショルダーベルト１０は、背面６の左右幅の中心線Ｃから左右にずれて設けられる。
このため、握持部９を握持して釣竿ケース１携帯するときはショルダーベルト１０が握持部９と重ならないため運搬中に握持部９を握った手に当たることが防止されるため、運搬の邪魔にならない。
【００１４】
一方、ショルダーベルト１０は、背面６の左右幅の中心線Ｃから左右にずれて設けられているため、背面６はショルダーベルト１０より中心線Ｃ側に広く現れることとなり、図３のように、このショルダーベルト１０を用いて釣竿ケース１を背負うと、背面６のショルダーベルト１０より中心線Ｃ側が、ショルダーベルトを中心線上に設ける一般の釣竿ケースの場合のように背中に当たる面が肩の外側にはみ出してしまうことが防止され、より広く釣り人Ｐ背中に接することとなり、ケース本体２の揺れを防止し安定して背負うことが出来る。
この釣竿ケース１は主にショルダーベルト１０右肩に掛け、ケース本体２を右肩側に背負うときに適している。
【００１５】
しかも、ショルダーベルト１０は背面６の左右幅の中心線Ｃに平行に設けられるためこのショルダーベルト１０を用いると、ショルダーベルト１０とケース本体２を共に上下方向にまっすぐにして背負った状態にすることができ、傾かないようにして安定して楽に背負うことができる。
したがって、ショルダーベルトを斜めにオフセットした従来の釣竿ケースのように傾いた状態になりにくい。
なお、ショルダーベルト１０は背面６の左右幅の中心線Ｃに平行に設けられるが、これは、ショルダーベルト１０自体が柔軟性を有し肩掛け用に弛ませて設けられるため、ショルダーベルト１０の止着部１０ａ、１０ｂを結ぶ線分Ｄの方向で定められ、製造上の誤差程度の方向の違いであれば同様の作用効果を有すると見なす。
【００１６】
また、ショルダーベルト１０はケース本体２に止着部１０ａ、１０ｂにて対し固定して取り付けたが、例えばリング部材とナス環のような係合部材を用いて着脱自在に形成してもよい。
【００１７】
さらに、図４は本発明の実施形態のショルダーベルトの取り付け部を変えた変形例であり、ショルダーベルト１０がショルダーベルト１０を設けた背面６の左右幅の中心線Ｃから背面６を正面にして左側（側面４側）にずれており、このような釣竿ケース１においても同様の作用効果が得られる。
図４の釣竿ケース１は主にショルダーベルト１０右肩に掛け、ケース本体２を右肩側に背負うときに適している。
【００１８】
また、ショルダーベルト１０を設ける位置は、背面６に限らず、開口部１１が設けられていない右側面４、左側面５などの外側面に設けてもよい。
【００１９】
なお、本発明は実施例に挙げた形態の釣竿ケースに限らずあらゆる形態の釣竿ケースに実施できる。
【産業上の利用可能性】
【００２０】
本発明は、釣竿ケース全般に利用できる。
【図面の簡単な説明】
【００２１】
【図１】釣竿ケースの斜視図である。
【図２】釣竿ケースの断面図である。
【図３】釣竿ケースの使用状態の図である。
【図４】ショルダーベルトの取り付け部を変えた釣竿ケースの斜視図である。
【符号の説明】
【００２２】
１  釣竿ケース
２  ケース本体
６  背面部
９  握持部
１０  ショルダーベルト
１１  開口部
Ｃ  中心線
【図１】
2006204146.tif 000003
【図２】
2006204146.tif 000004
【図３】
2006204146.tif 000005
【図４】
2006204146.tif 000006